(57)【要約】【課題】簡易な構造で、非ＯＡ室との段差を解消することのできる床構造を提供する。【解決手段】床構造（１）は、互いに間隔をあけて配置され、第一方向に沿って延びる複数の床支持部材（３）と、床支持部材の上に載置される床パネル（４）と、床パネルの下に位置し、第一方向に沿って延びる配線路（５０）とを備える。床パネル（４）は、互いに間隔をあけて配置され、第一方向に交差する第二方向に沿って延びる複数の根太（４１）と、互いに平行に配置され、複数の根太を上下方向に挟む第１面材（４２）および第２面材（４３）とを含む。上に位置する第１面材（４２）は、着脱または開閉可能な蓋部（６１）を有し、下に位置する第２面材（４３）は、蓋部に対面する対面部（７１）を有する。対面部（７１）の少なくとも一部に、配線路を露出する開口部（７２）が形成される。【選択図】図２
2018100538.tif 000002
【特許請求の範囲】
【請求項１】
建物の床構造であって、
互いに間隔をあけて配置され、第一方向に沿って延びる複数の床支持部材と、
前記複数の床支持部材の上に載置される床パネルと、
前記床パネルの下に位置し、前記第一方向に沿って延びる配線路とを備え、
前記床パネルは、互いに間隔をあけて配置され、前記第一方向に交差する第二方向に沿って延びる複数の根太と、互いに平行に配置され、前記複数の根太を上下方向に挟む第１面材および第２面材とを含み、
上に位置する前記第１面材は、着脱または開閉可能な蓋部を有し、下に位置する前記第２面材は、前記蓋部に対面する対面部を有し、
前記対面部の少なくとも一部に、前記配線路を露出する開口部が形成されている、床構造。
【請求項２】
前記配線路の少なくとも一部は、隣り合う前記床支持部材間に配置された配線受け材により構成される、請求項１に記載の床構造。
【請求項３】
前記配線受け材は、前記第２面材に対面する部分に、前記第一方向に沿って延びる開口を有する、請求項２に記載の床構造。
【請求項４】
前記複数の床支持部材のうちの少なくとも１つは、前記第２面材に対面する部分に前記第一方向に沿って延びる開口を有する開口上向きの床支持部材であり、
前記配線路の少なくとも一部は、前記開口上向きの床支持部材により構成される、請求項１〜３のいずれかに記載の床構造。
【請求項５】
前記配線路は、複数設けられ、
前記第１面材の蓋部および前記第２面材の対面部は、前記配線路ごとに設けられる、請求項１〜４のいずれかに記載の床構造。
【請求項６】
前記蓋部には、前記第２面材上に配されたケーブルを室内に引き込むための貫通孔が設けられている、請求項１〜５のいずれかに記載の床構造。
【請求項７】
前記床支持部材は、地面に立設された束の上に配置される大引、または、建物の階間に配置される梁を含む、請求項１〜６のいずれかに記載の床構造。
【発明の詳細な説明】
【技術分野】
【０００１】
本発明は、建物の床構造に関し、特に、ＯＡ機器の配線スペースを床面よりも下方に設けた床構造に関する。
【背景技術】
【０００２】
事務所ビルなど、室内に複数のＯＡ機器が設置される建物の多くは、ＯＡ機器の配線スペースを床面よりも下方に設けた二重床構造を採用している。一般的な二重床構造は、床コンクリート（コンクリートスラブ）の上に、支持脚に支持された床板を配置し、床コンクリートと床板との間の空間を配線スペースとする構造である。このような二重床構造を採用した部屋は、必然的に床面が高くなるため、従来から床面高さを低く抑えるための技術が提案されている。
【０００３】
たとえば特開平５−２４８０７２号公報（特許文献１）には、ケーブル類を埋設すべき位置において隣接する床板の相互間に、ケーブル収納溝構成部材を嵌め込み、このケーブル収納溝構成部材の開口部に蓋体を取り付けた二重床構造が提案されている。
【先行技術文献】
【特許文献】
【０００４】
【特許文献１】特開平５−２４８０７２号公報
【発明の概要】
【発明が解決しようとする課題】
【０００５】
特許文献１のように、複数のＯＡ機器を設置する部屋（以下「ＯＡ室」という）の床面高さを一般的な二重床構造の床面高さよりも低く抑える技術が従来から提案されている。しかしながら、同一フロアにおいて、複数のＯＡ機器の設置を意図しない一重床の部屋（以下「非ＯＡ室」という）と二重床のＯＡ室とが隣接する場合、両室間の床面に段差が生じる。この場合、床面の段差を解消するための作業が発生するため、コストや工期に影響が出る。
【０００６】
本発明は、上記のような課題を解決するためになされたものであって、その目的は、簡易な構造で、非ＯＡ室との段差を解消することのできる床構造を提供することである。
【課題を解決するための手段】
【０００７】
この発明のある局面に従う床構造は、建物の床構造であって、互いに間隔をあけて配置され、第一方向に沿って延びる複数の床支持部材と、複数の床支持部材の上に載置される床パネルと、床パネルの下に位置し、第一方向に沿って延びる配線路とを備える。床パネルは、互いに間隔をあけて配置され、第一方向に交差する第二方向に沿って延びる複数の根太と、互いに平行に配置され、複数の根太を上下方向に挟む第１面材および第２面材とを含む。上に位置する第１面材は、着脱または開閉可能な蓋部を有し、下に位置する第２面材は、蓋部に対面する対面部を有する。対面部の少なくとも一部に、配線路を露出する開口部が形成される。
【０００８】
好ましくは、配線路の少なくとも一部は、隣り合う床支持部材間に配置された配線受け材により構成される。配線受け材は、第２面材に対面する部分に、第一方向に沿って延びる開口を有することが望ましい。
【０００９】
あるいは、複数の床支持部材のうちの少なくとも１つは、第２面材に対面する部分に第一方向に沿って延びる開口を有する開口上向きの床支持部材である。この場合、配線路の少なくとも一部は、この開口上向きの床支持部材により構成されてもよい。
【００１０】
配線路が複数設けられる場合、第１面材の蓋部および第２面材の対面部は、配線路ごとに設けられてもよい。
【００１１】
好ましくは、蓋部には、第２面材上に配されたケーブルを室内に引き込むための貫通孔が設けられている。
【００１２】
好ましくは、床支持部材は、地面に立設された束の上に配置される大引、または、建物の階間に配置される梁を含む。
【発明の効果】
【００１３】
本発明では、複数の根太により区画される空間（配線空間）と配線路とが、第２面材を挟んで立体的に交差する。また、この配線空間と配線路とが、対面部の開口部を介して連通する。したがって、支持脚を用いた二重床にすることなく、床面よりも下方に配線スペースを確保することができる。その結果、本発明によれば、簡易な構造で、非ＯＡ室との段差を解消することができる。
【図面の簡単な説明】
【００１４】
【図１】本発明の各実施の形態に係る床構造の平面図である。
【図２】本発明の実施の形態１に係る床構造を模式的に示す断面図である。
【図３】本発明の実施の形態１に係る床構造を模式的に示す断面図である。
【図４】本発明の実施の形態１において、蓋体を取り外した状態における床構造の一部を模式的に示す平面図である。
【図５】本発明の実施の形態１において、対面部に設けられた開口部の位置の他の例を示す図である。
【図６】本発明の実施の形態２に係る床構造を模式的に示す断面図である。
【図７】本発明の実施の形態２に係る床構造を模式的に示す斜視図である。
【図８】本発明の実施の形態３に係る床構造を模式的に示す斜視図である。
【発明を実施するための形態】
【００１５】
本発明の実施の形態について図面を参照しながら詳細に説明する。なお、図中同一または相当部分には同一符号を付してその説明は繰返さない。
【００１６】
＜実施の形態１＞
図１〜図３を参照して、建物における１階（地上階）の床構造について説明する。図１は、本発明の実施の形態１に係る床構造１の平面図である。図２は、図１のＩＩ−ＩＩ線に沿う床構造１を模式的に示す断面図である。図３は、図１のＩＩＩ−ＩＩＩ線に沿う床構造１を模式的に示す断面図である。
【００１７】
図２および図３を参照して、建物の床構造１は、基本構造として、地面９に立設された複数の束２と、束２に載置されて、互いに間隔をあけて配置される複数の大引３と、複数の大引３の上に載置される床パネル４とを備える。床パネル４は、互いに間隔をあけて配置される複数の根太４１と、互いに平行に配置され、複数の根太４１を上下方向に挟む上側面材（第１面材）４２および下側面材（第２面材）４３とを含む。
【００１８】
束２は、上下方向に延びる柱状部材である。束２は、木製であってもよいし、金属製であってもよい。大引３は、一定方向（以下「第一方向」という）に延在する長尺の部材である。図１等に示す矢印Ａ１は、大引３の延在方向、すなわち第一方向を表わす。大引３は、長辺と短辺とを有する断面長方形状であり、たとえば長辺に開口を有するＣ型鋼により形成される。大引３は、上下方向にその長辺が配置されるように、強軸配置される。
【００１９】
根太４１は、第一方向に直交する方向（以下「第二方向」という）に延びる長尺の部材である。つまり、根太４１は、大引３と立体的に交差する。図１等に示す矢印Ａ２は、根太４１の延在方向、すなわち第二方向を表わす。根太４１は、たとえば木製であり、矩形状断面を有している。根太４１間の間隔は、大引３の配置ピッチ（図２のＰ）よりも小さい。根太４１の高さ寸法は、５０〜１０５ｍｍの間で定められ、たとえば８０ｍｍ程度である。
【００２０】
上側面材４２は、室内空間８１に面し、１階の床面を構成する。下側面材４３は、床下空間８２に面し、大引３の上面と面接触した状態で配置される。下側面材４３の厚みは上側面材４２の厚みよりも薄くてもよい。
【００２１】
床構造１のうち、束２、大引３、および根太４１は、梁や柱とともに建物の躯体を構成する部材である。一般的な一重の床構造においては、大引の上に直接根太が重ねられるが、本実施の形態では、大引３と根太４１との間に下側面材４３が介在する構成となっている。そのため、本実施の形態において、大引３は床パネル４を支持する床支持部材であり、床パネル４に根太４１が含まれている。床パネル４は大引３に固定される。
【００２２】
なお、床パネル４は、図１に示されるように平面視において第一および第二方向の双方に分割されており、複数のパネルユニット４０が隙間なく敷き詰められることにより床パネル４が構成されている。各パネルユニット４０は、所定長さの複数の根太４１と、根太４１の長さに合わせて切断された矩形形状の上側面材４２および下側面材４３とで構成される。図３に示されるように、設置状態において、複数の根太４１のうちパネルユニット４０の端に位置する根太４１は、第一方向において隣接するパネルユニット４０の端に位置する根太４１と当接する。パネルユニット４０は工場で製造され、現場にて施工される。
【００２３】
このように、床パネル４が下側面材４３を含む構成であるため、上側面材４２と下側面材４３との間には、複数の根太４１により区画される複数の配線空間４４が形成される。配線空間４４は、根太４１と同じ第二方向に沿って延びる。配線空間４４の高さ寸法は根太４１の高さ寸法と等しい。
【００２４】
ここで、床構造１は、床パネル４の下に設けられ、第一方向に沿って延びる配線路５０をさらに備えている。配線空間４４が第二方向に延びるため、配線路５０は、下側面材４３を挟んで複数の配線空間４４に立体的に交差する。
【００２５】
本実施の形態において、配線路５０は、たとえば略Ｕ字状断面を有する長尺の配線受け材５により構成される。配線受け材５は、隣り合う一対の大引３の間に配置される。配線受け材５（配線路５０）は、第一方向に沿って整列する複数のパネルユニット４０に跨って直線状に延びる。配線受け材５（配線路５０）は、第二方向に沿って整列する複数のパネルユニット４０の各々に設けられていなくてもよく、たとえば１つ置きに設けられていてもよい。
【００２６】
配線受け材５は、たとえば鋼製であり、その開口が上方を向くように、床パネル４の下側面材４３の下面に固定されている。より具体的には、配線受け材５は、略Ｕ字状断面の受け材本体の上端縁から両側方に延びる一対のフランジ部５１を有しており、このフランジ部５１がビスなどの接合部材により下方から下側面材４３に固定される。
【００２７】
図１に示されるように、床パネル４の上側面材４２の一部は取り外し可能な蓋体６１となっている。蓋体６１の着脱によって、上側面材４２の開口（以下「床開口」という）６２が開閉される。蓋体６１の形状はたとえば矩形形状である。蓋体６１は、上方から見て配線路５０の位置に重なるように設けられている。蓋体６１は、第二方向において、配線路５０ごとに設けられる。また、図３に示されるように、１本の配線路５０に沿って、複数の蓋体６１が設けられる。
【００２８】
なお、本実施の形態では、蓋体６１が、上側面材４２に着脱可能に設けられていることとするが、蓋体６１は、上側面材４２に対し開閉可能に設けられていてもよい。「開閉可能」の意味は、回動可能という意味だけでなく、たとえばスライド可能という意味も含まれる。
【００２９】
蓋体６１は、たとえば、パネルユニット４０の一角に設けられている。この場合、パネルユニット４０を構成する上側面材４２の一角が矩形状に切り欠かれることで、床開口６２が形成される。蓋体６１は、パネルユニット４０ごとに設けられてもよいし、一部のパネルユニット４０にのみ設けられてもよい。
【００３０】
図４は、蓋体６１を取り外した状態における床構造１の一部を模式的に示す平面図である。図４に示されるように、蓋体６１を取り外した状態において、床開口６２から、第一方向に隣り合う２つの根太４１と、これらの根太４１間に形成された配線空間４４とが露出する。つまり、２つの根太４１と、下側面材４３のうち、蓋体６１に対面する部分（以下「対面部」という）７１とが、床開口６２から露出する。
【００３１】
このように、蓋体６１は、第一方向に隣り合う２つの根太４１に架け渡されるように配置される。そのため、閉鎖状態においては、蓋体６１の第一方向両端部が、これら２つの根太４１によって下方から支持される。蓋体６１の第二方向に沿う長さ寸法は、パネルユニット４０の２／３以下であり、たとえば１／２程度である。
【００３２】
図４に示されるように、下側面材４３の対面部７１の一部に、配線路５０を露出する開口部７２が形成されている。これにより、下側面材４３の上の配線空間４４と配線路５０とが、開口部７２を介して連通する。本実施の形態では複数の配線路５０が互いに間隔をあけて設けられているため、複数の配線路５０と複数の配線空間４４とによって格子状の配線通路が形成される。
【００３３】
このように、対面部７１の一部に開口部７２が設けられるため、開口部７２の位置、すなわち配線空間４４と配線路５０との交差部において、ＯＡケーブル８の配線方向を、第一方向から第二方向、あるいは、第二方向から第一方向に変更することができる。
【００３４】
ＯＡケーブル８の配線方向を第一方向から第二方向に変更し、所望の位置（引き込み位置）において室内にＯＡケーブル８を引き込む際の作業手順は、たとえば次の通りである。作業者はまず、ある配線路５０の上に位置する蓋体６１を取り外す。次に、この配線路５０に沿って配されたＯＡケーブル８を、取り外した蓋体６１下の開口部７２を介して下側面材４３（対面部７１）の上、すなわち配線空間４４に引き出す。その後、引き出したＯＡケーブル８を、この配線空間４４に沿って第二方向一方側または他方側に向けて、次の蓋体６１の位置まで送り出す。作業者は、次の蓋体６１を取り外し、ＯＡケーブル８をその蓋体６１下の対面部７１に引き込む。
【００３５】
この蓋体６１の位置が引き込み位置の場合、貫通孔６３にＯＡケーブル８を通して蓋体６１を装着する。これにより、ＯＡケーブル８が室内に引き込まれる。貫通孔６３は、蓋体６１ごとに予め設けられる。この場合、配線作業の際に、貫通孔６３に作業者の指等を挿入できるため、容易に蓋体６１を着脱することができる。あるいは、貫通孔６３は、ＯＡケーブル８の室内側への引き込み位置に位置する蓋体６１にのみ、現場にて削孔されてもよい。
【００３６】
なお、上記した「次の蓋体６１」の位置が引き込み位置でない場合、配線空間４４に沿ってさらに次の蓋体６１の位置までＯＡケーブル８が送り出される。あるいは、図１において想像線で示すように、次の蓋体６１下の開口部７２から、ＯＡケーブル８を配線路５０に挿入することで、ＯＡケーブル８の配線方向を第二方向から第一方向に再び変更してもよい。
【００３７】
開口部７２を介したＯＡケーブル８の引き出しまたは挿入のためには、開口部７２の大きさは、配線空間４４側から作業者の手、または、ＯＡケーブル８を挟持するための道具を挿入できる大きさであることが望ましい。図４に示した例では、開口部７２の第一方向における開口寸法は根太４１間の間隔に略等しい。開口部７２の第二方向における開口寸法Ｌ１は、たとえば、配線路５０の横幅寸法、すなわち配線受け材５の開口寸法以上であることが望ましい。
【００３８】
一方で、開口部７２の第二方向における開口寸法Ｌ１は、対面部７１および蓋体６１の第二方向における長さ寸法Ｌ２未満であることが望ましい。つまり、蓋体６１を取り外した状態で上から見た場合に、開口部７２と開口部７２以外の部分（以下「板状部分」という）７３とが第二方向に隣接していることが望ましい。これにより、開口部７２からのＯＡケーブル８の引き出しだけでなく、引き出したＯＡケーブル８を対面部７１の板状部分７３上に仮置きすることができるため、配線空間４４に沿う配線を容易に行うことができる。なお、開口部７２の第一方向における開口寸法は、根太４１間の間隔よりも短くてもよい。
【００３９】
図示した例では、開口部７２が、対面部７１の第二方向中央部に設けられている。このような場合、蓋体６１を取り外した状態では、開口部７２の第二方向両側に、対面部７１の板状部分７３が露出する。そのため、開口部７２と第二方向一方側に隣接する板状部分７３、および、開口部７２と第二方向他方側に隣接する板状部分７３の双方に、開口部７２から引き出したＯＡケーブル８を仮置きすることができる。したがって、開口部７２から引き出したＯＡケーブル８を、第二方向一方側および他方側の双方向に容易に配線することが可能となる。
【００４０】
なお、図５に示されるように、開口部７２は、蓋体６１を取り外した状態において、開口部７２の第二方向のいずれか一方側にのみ、対面部７１の板状部分７３が露出してもよい。たとえば、開口部７２から大引３が露出するように、開口部７２の第二方向の一端の位置が、対面部７１の第二方向一方端の位置と略一致していてもよい。この場合、開口部７２から引き出したＯＡケーブル８を、開口部７２の第二方向他方端側の板状部分７３上に仮置きできるため、引き出したＯＡケーブルの第二方向他方側への配線を容易に行うことができる。
【００４１】
このように、本実施の形態に係る床構造１は、下側面材４３を挟んで立体的に交差する配線空間４４および配線路５０を備えており、両者の交差部に開口部７２が設けられている。そのため、本実施の形態によれば、支持脚を用いた二重床としなくても、床面よりも下方位置において、ＯＡケーブル８を第一方向および第二方向の双方に配することができる。また、二重床の場合と同程度の配線作業性を実現することができる。
【００４２】
また、本実施の形態によれば、床面高さを高くすることなく、床面下にＯＡ機器の配線スペースを設けることができるため、同一フロアにＯＡ室と非ＯＡ室とが隣接して配置される場合であっても、両室間の床面を面一とすることができる。その結果、従来の二重床構造を用いた場合に起こり得る段差解消のための作業を不要とすることができる。なお、非ＯＡ室においては、上側面材４２に蓋体６１を設けなくてもよい。また、下側面材４３に開口部７２を設けなくてもよい。
【００４３】
さらに、本実施の形態によれば、一般的な一重床の床構造と比較して、下側面材４３とその下に取り付けられた１または複数の配線受け材５とを設けるだけでよいため、簡易な構成で配線スペースを確保することができる。したがって、従来の二重床構造よりもコストおよび工期を短縮することができる。
【００４４】
なお、本実施の形態では、開口部７２が対面部７１の一部にのみ設けられることとしたが、対面部７１の全体に設けられてもよい。
【００４５】
また、配線受け材５は、開口が上方を向くＵ字状断面を有していることとしたが、限定的ではなく、下側面材４３に対面する部分に、第一方向に沿って延びる（典型的には、第一方向一端から他端まで延びる）開口を有していればよい。あるいは、配線受け材は、筒状のダクトにより形成されてもよい。この場合、筒状の配線受け材は、下側面材４３（対面部７１）の開口部７２に面する部分にのみ、配線路５０を露出するための開口を有していればよい。
【００４６】
また、大引３が長辺に開口を有するＣ型鋼により形成されることとしたが、本実施の形態では、大引がＣ型鋼以外の部材で形成されてもよい。たとえば、大引は、閉鎖断面の金属製部材により形成されてもよいし、木材により形成されてもよい。
【００４７】
＜実施の形態２＞
図６および図７を参照して、本発明の実施の形態２に係る床構造１Ａについて説明する。図６は、床構造１Ａを模式的に示す断面図であり、実施の形態１の図２に相当する。図７は、床構造１Ａを模式的に示す斜視図である。
【００４８】
床構造１Ａの基本構造は、実施の形態１の床構造１と同じである。そのため、ここでは、実施の形態１の床構造１と異なる点のみ詳細に説明する。
【００４９】
床構造１Ａは、実施の形態１で示した配線受け材５を含まず、Ｃ字状断面を有する大引３により配線路５０が構成されている。具体的には、実施の形態１では、大引３が強軸配置されていたのに対し、本実施の形態では、開口３０が上方を向くように大引３が弱軸配置されている。つまり、大引３は、上下方向にその短辺が配置されるように配置される。
【００５０】
各大引３は、たとえば、第二方向に隣接するパネルユニット４０の境界部分に配置される。この場合、大引３は、一方のパネルユニット４０の第二方向他方端部と、他方のパネルユニット４０の第二方向一方端部とを支持する。
【００５１】
本実施の形態では、大引３の開口３０が床パネル４の下側面材４３に面しており、大引３の開口３０の位置を含むように蓋体６１が設けられている。また、下側面材４３（対面部７１）の開口部７２は、大引３の開口３０を露出する位置に設けられている。なお、本実施の形態では、大引３の開口幅全体が開口部７２から露出するのではなく、その半分程度だけが開口部７２から露出する。
【００５２】
このように、建物の躯体の一部を構成する大引３を弱軸配置することにより、配線路５０を大引３により構成することができる。つまり、図７に示すように、大引３の内部に、ＯＡケーブル８を通すことができる。図７には、床パネル４を構成する複数のパネルユニット４０のうち１つのパネルユニット４０の蓋体６１が取り除かれた状態が示されている。
【００５３】
上述のように、本実施の形態によれば、別部材を設けることなく第一方向に沿う配線路５０を形成することができる。大引３は、第二方向に沿って所定ピッチで設けられるため、簡易な構成で様々な配線パターンを実現することが可能となる。なお、本実施の形態では、大引３を弱軸配置するため、大引３の配置ピッチを強軸配置の場合の配置ピッチよりも短くしてもよい。
【００５４】
本実施の形態において、大引３は、長辺に開口を有するＣ型鋼であることとしたが限定的ではなく、弱軸／強軸に関わらず、開口上向きの床支持部材であればよい。つまり、大引は、下側面材４３に対面する部分に、第一方向に沿って延びる開口を有していればよい。
【００５５】
また、全ての大引３が開口上向きの床支持部材でなくてもよく、少なくとも１つの大引３が開口上向きの床支持部材であればよい。
【００５６】
＜実施の形態３＞
図８を参照して、本発明の実施の形態３に係る床構造１Ｂについて説明する。図８は、床構造１Ｂを模式的に示す斜視図である。
【００５７】
本実施の形態に係る床構造１Ｂは、実施の形態２の床構造１Ａと、実施の形態１の配線受け材５とを組み合わせた構造である。すなわち、本実施の形態では、弱軸配置された複数の大引３と、少なくとも１つの配線受け材５との各々が、配線路５０を構成している。配線受け材５は、大引３よりも幅寸法が大きい。
【００５８】
ＯＡ室に配線受け材５を１つだけ設置する場合、たとえば、ＯＡ室の床パネル４の第二方向一方端を支持する大引３の隣に配線受け材５を設置し、ＯＡ室に引き込むべき全てのＯＡケーブル８を配線受け材５に通すこととしてもよい。この場合、配線受け材５の上の開口部７２それぞれにおいて、配線受け材５から必要数のＯＡケーブル８を配線空間４４に引き出し、引き出したＯＡケーブル８を、床パネル４の第二方向他方端側に向けて送り出すことができる。これにより、ＯＡケーブル８の分配を整然と行うことができる。
【００５９】
配線空間４４に配されたＯＡケーブル８は、実施の形態１，２と同様に、引き込み位置において室内側に引き込んだり、他の開口部７２を介して大引３内の空間（配線路５０）に挿入したりすることができる。
【００６０】
上記各実施の形態では、建物の１階の床構造について説明したが、建物の２階以上の床においても同様の構造を採用することができる。つまり、床パネル４を、建物の階間に配置される梁（小梁）など、第一方向に延びる複数の床支持部材の上に載置することができる。この場合においても、隣り合う床支持部材間に、配線路５０を構成する配線受け材を設けてもよいし、床支持部材そのものを配線路５０として構成してもよい。
【００６１】
また、配線路５０および配線空間４４に配するケーブルがＯＡケーブル８であることとしたが、柔軟性を有するケーブル状の部材であれば、他種のケーブルであってもよい。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１，１Ａ，１Ｂ  床構造、２  束、３  大引、４  床パネル、５  配線受け材、８  ケーブル、９  地面、４０  パネルユニット、４１  根太、４２  上側面材、４３  下側面材、４４  配線空間、５０  配線路、５１  フランジ部、６１  蓋体、６２  床開口、６３  貫通孔、７１  対面部、７２  開口部、８１  室内空間、８２  床下空間。
【図１】
2018100538.tif 000003
【図２】
2018100538.tif 000004
【図３】
2018100538.tif 000005
【図４】
2018100538.tif 000006
【図５】
2018100538.tif 000007
【図６】
2018100538.tif 000008
【図７】
2018100538.tif 000009
【図８】
2018100538.tif 000010